【手続補正書】
【提出日】平成20年8月8日(2008.8.8)
【手続補正１】
【補正対象書類名】明細書
【補正対象項目名】特許請求の範囲
【補正方法】変更
【補正の内容】
【特許請求の範囲】
【請求項１】  吸入空気が周囲温度で少なくとも５０％ＲＨの湿度を有する、ガスタービン吸入システム内の空気を濾過するためのフィルタ構造であって、
ガスタービン・システムの吸気口に少なくとも１つのフィルタエレメントを含み、
前記フィルタエレメントが、管状構造と、清浄な空気のプレナムである開放フィルタ内部を画定する構造とを形成する媒体パックを有し、
前記媒体パックが、ファインファイバの層で少なくとも部分的に覆われた基体を含む、媒体複合体のひだ付き構造を含み、
前記ファインファイバが、添加剤と組み合わせられた、付加ポリマー、または、環状ラクタムとＣ６〜１０ジアミンモノマーまたはＣ６〜１０二酸モノマーとから形成されたコポリマー以外の縮合ポリマー、を含んだポリマー組成物を含むことを特徴とするフィルタ構造。
【請求項２】  前記基体が、セルロース繊維、合成繊維、またはこれらの混合物を含むことを特徴とする請求項１に記載のフィルタ構造。
【請求項３】  前記添加剤が、分子量が約５００〜３０００であり、アルキル部分を含まないで芳香族の特性を有するオリゴマーを含み、前記縮合ポリマーに対して混和性であり、
空気を清浄にするために、前記フィルタエレメントの前記媒体パックに空気を通して前記開放フィルタ内部に向ける工程を含む、
ことを特徴とする請求項１に記載のフィルタ構造。
【請求項４】  前記ポリマーがポリアルキレンテレフタレートを含むことを特徴とする請求項１に記載のフィルタ構造。
【請求項５】  前記ポリマーがポリアルキレンナフタレートを含むことを特徴とする請求項１に記載のフィルタ構造。
【請求項６】  前記ポリマーがポリエチレンテレフタレートを含むことを特徴とする請求項１に記載のフィルタ構造。
【請求項７】  前記ポリマーがナイロン・ポリマーを含むことを特徴とする請求項１に記載のフィルタ構造。
【請求項８】  前記ナイロンコポリマーが第２のナイロン・ポリマーに結合し、前記第２のナイロン・ポリマーの分子量またはモノマーが異なることを特徴とする請求項７に記載のフィルタ構造。
【請求項９】  前記ナイロンコポリマーが第２のナイロン・ポリマーに結合し、前記第２のナイロン・ポリマーがアルコキシアルキル変性ポリアミドを含むことを特徴とする請求項８に記載のフィルタ構造。
【請求項１０】  前記第２のナイロン・ポリマーがナイロンコポリマーを含むことを特徴とする請求項８に記載のフィルタ構造。
【請求項１１】  前記ポリマーが、示差走査熱量計によって測定した場合に単相物質であることを示す単一のポリマー組成物を形成するように処理されていることを特徴とする請求項８に記載のフィルタ構造。
【請求項１２】  前記コポリマーおよび第２のポリマーが熱処理されることを特徴とする請求項１１に記載のフィルタ構造。
【請求項１３】  前記コポリマーおよび第２のポリマーが、これらポリマーの低いほうの融点未満の温度で熱処理されていることを特徴とする請求項１２に記載のフィルタ構造。
【請求項１４】  前記添加剤が、第３級ブチルフェノールを含んだオリゴマーを含むことを特徴とすることを特徴とする請求項１に記載のフィルタ構造。
【請求項１５】  前記添加剤が、
【化１】
2004508168.tif 000001
を含んだオリゴマーを含むことを特徴とする請求項１４に記載のフィルタ構造。
【請求項１６】  前記樹脂が、ビスフェノールＡを含んだオリゴマーを含むことを特徴とする請求項１に記載のフィルタ構造。
【請求項１７】  前記添加剤が、
【化２】
2004508168.tif 000002
を含んだオリゴマーを含むことを特徴とする請求項１６に記載のフィルタ構造。
【請求項１８】  前記添加剤が、ジヒドロキシビフェニルを含んだオリゴマーを含むことを特徴とする請求項１に記載のフィルタ構造。
【請求項１９】  前記添加剤が、
【化３】
2004508168.tif 000003
を含んだオリゴマーを含むことを特徴とする請求項１８に記載のフィルタ構造。
【請求項２０】  前記添加剤が、樹脂状添加剤とフルオロポリマーのブレンドを含むことを特徴とする請求項１に記載のフィルタ構造。
【請求項２１】  前記添加剤がフルオロカーボン界面活性剤を含むことを特徴とする請求項１に記載のフィルタ構造。
【請求項２２】  前記添加剤が非イオン性界面活性剤を含むことを特徴とする請求項１に記載のフィルタ構造。
【請求項２３】  前記縮合ポリマーがポリウレタンポリマーを含むことを特徴とする請求項１に記載のフィルタ構造。
【請求項２４】  前記縮合ポリマーが、ポリウレタンポリマーとポリアミドポリマーのブレンドを含むことを特徴とする請求項１に記載のフィルタ構造。
【請求項２５】  前記ポリアミドポリマーがナイロンを含むことを特徴とする請求項２４に記載のフィルタ構造。
【請求項２６】  前記ナイロンが、ナイロンホモポリマー、ナイロンコポリマー、またはこれらの混合物を含むことを特徴とする請求項２５に記載のフィルタ構造。
【請求項２７】  前記縮合ポリマーが芳香族ポリアミドを含むことを特徴とする請求項１に記載のフィルタ構造。
【請求項２８】  前記縮合ポリマーが、ジアミンモノマーとポリ（ｍ−フェニレンイソフタルアミド）との反応生成物を含むことを特徴とする請求項１に記載のフィルタ構造。
【請求項２９】  前記ポリアミドが、ジアミンとポリ（ｐ−フェニレンテレフタルアミド）との反応生成物を含むことを特徴とする請求項２８に記載のフィルタ構造。
【請求項３０】  前記縮合ポリマーがポリベンズイミダゾールを含むことを特徴とする請求項１に記載のフィルタ構造。
【請求項３１】  前記縮合ポリマーがポリアリーレートを含むことを特徴とする請求項１に記載のフィルタ構造。
【請求項３２】  前記ポリアリーレートポリマーが、ビスフェノールＡと混合フタル酸との縮合重合反応生成物を含むことを特徴とする請求項３１に記載のフィルタ構造。
【請求項３３】  吸入空気が周囲温度で少なくとも５０％ＲＨの湿度を有する、ガスタービン吸気システム内の空気を濾過するための方法であって、
（ａ）ガスタービン・システムの吸気口に近接してフィルタを設置する工程と、
前記フィルタが少なくとも１つのフィルタエレメントを含み、
前記フィルタエレメントが、管状構造と、清浄な空気のプレナムである開放フィルタ内部を画定する構造を形成する媒体パックを有し、
前記媒体パックが、ファインファイバの層で少なくとも部分的に覆われた基体を含む、媒体複合体のひだ付き構造を含み、
前記ファインファイバが、添加剤と組み合わせられた、付加ポリマー、または、環状ラクタムと、Ｃ６〜１０ジアミンモノマーまたはＣ６〜１０二酸モノマーとから形成されたコポリマー以外の縮合ポリマー、を含んだポリマー組成物を含み、
（ｂ）吸入空気をガスタービン・システムの吸気口に向ける工程と、
を含むことを特徴とする方法。
【請求項３４】  前記添加剤が、分子量が約５００〜３０００でアルキルフェノール部分を含まないで芳香族の特性を有するオリゴマーを含み、前記縮合ポリマーに対して混和性であり、
空気を清浄にするために、前記フィルタエレメントの前記媒体パックに空気を通して開放フィルタ内部に向ける工程を含むことを特徴とする請求項３３に記載の方法。
【請求項３５】  前記ポリマーがポリアルキレンテレフタレートを含むことを特徴とする請求項３３に記載の方法。
【請求項３６】  前記ポリマーがポリアルキレンナフタレートを含むことを特徴とする請求項３３に記載の方法。
【請求項３７】  前記ポリマーがポリエチレンテレフタレートを含むことを特徴とする請求項３３に記載の方法。
【請求項３８】  前記ポリマーがナイロン・ポリマーを含むことを特徴とする請求項３３に記載の方法。
【請求項３９】  前記ナイロンコポリマーが分子量またはモノマー組成の異なる第２のナイロン・ポリマーに結合されていることを特徴とする請求項３３に記載の方法。
【請求項４０】  前記ナイロンコポリマーが、アルコキシアルキル変性ポリアミドを含む第２のナイロン・ポリマーに結合されていることを特徴とする請求項３３に記載の方法。
【請求項４１】  前記第２のナイロン・ポリマーがナイロンコポリマーを含むことを特徴とする請求項３９に記載の方法。
【請求項４２】  前記ポリマーが、示差走査熱量計によって測定した場合に単相物質であることを示す単一のポリマー組成物を形成するように処理されていることを特徴とする請求項３９に記載の方法。
【請求項４３】  前記コポリマーおよび前記第２のポリマーが熱処理されていることを特徴とする請求項３９に記載の方法。
【請求項４４】  前記コポリマーおよび第２のポリマーが、これらポリマーの低いほうの融点未満の温度で熱処理されていることを特徴とする請求項３９に記載の方法。
【請求項４５】  前記添加剤が、第３級ブチルフェノールを含んだオリゴマーを含むことを特徴とする請求項１に記載のフィルタ構造。
【請求項４６】  前記添加剤が、
【化４】
2004508168.tif 000004
を含んだオリゴマーを含むことを特徴とする請求項４５に記載のフィルタ構造。
【請求項４７】  前記樹脂が、ビスフェノールＡを含んだオリゴマーを含むことを特徴とする請求項３３に記載の方法。
【請求項４８】  前記添加剤が、
【化５】
2004508168.tif 000005
を含んだオリゴマーを含むことを特徴とする請求項４７に記載の方法。
【請求項４９】  前記樹脂が、ジヒドロキシビフェニルを含んだオリゴマーを含むことを特徴とする請求項３３に記載の方法。
【請求項５０】  前記添加剤が、
【化６】
2004508168.tif 000006
を含んだオリゴマーを含むことを特徴とする請求項４９に記載の方法。
【請求項５１】  前記添加剤が、樹脂状添加剤とフルオロポリマーのブレンドを含むことを特徴とする請求項３３に記載の方法。
【請求項５２】  前記添加剤がフルオロカーボン界面活性剤を含むことを特徴とする請求項３３に記載の方法。
【請求項５３】  前記添加剤が非イオン性界面活性剤を含むことを特徴とする請求項３３に記載の方法。
【請求項５４】  前記縮合ポリマーがポリウレタンポリマーを含むことを特徴とする請求項３３に記載の方法。
【請求項５５】  前記縮合ポリマーが、ポリウレタンポリマーとポリアミドポリマーのブレンドを含むことを特徴とする請求項３３に記載の方法。
【請求項５６】  前記ポリアミドポリマーがナイロンを含むことを特徴とする請求項５５に記載の方法。
【請求項５７】  前記ナイロンが、ナイロンホモポリマー、ナイロンコポリマー、またはこれらの混合物を含むことを特徴とする請求項５６に記載の方法。
【請求項５８】  前記縮合ポリマーが芳香族ポリアミドを含むことを特徴とする請求項３３に記載の方法。
【請求項５９】  前記縮合ポリマーが、ジアミンモノマーとポリ（ｍ−フェニレンイソフタルアミド）との反応生成物を含むことを特徴とする請求項３３に記載の方法。
【請求項６０】  前記ポリアミドが、ジアミンとポリ（ｐ−フェニレンテレフタルアミド）との反応生成物を含むことを特徴とする請求項５８に記載の方法。
【請求項６１】  前記縮合ポリマーがポリベンズイミダゾールを含むことを特徴とする請求項３３に記載の方法。
【請求項６２】  前記縮合ポリマーがポリアリーレートを含むことを特徴とする請求項３３に記載の方法。
【請求項６３】  前記ポリアリーレートポリマーが、ビスフェノールＡと混合フタル酸との縮合重合反応生成物を含むことを特徴とする請求項６２に記載の方法。
【請求項６４】  少なくとも１つのフィルタエレメントを有するガスタービン・システムの吸気口に空気を向ける前記工程が、複数のフィルタエレメント対を有するガスタービン・システムの吸気口に空気を向ける工程を含み、
前記フィルタエレメント対のそれぞれが、前記媒体パックを備えた第１の管状フィルタエレメントを含み、前記第１の管状フィルタエレメントが前記媒体パックを備えた第２の管状フィルタエレメントの一端に対してシールされており、
前記第１および第２の管状フィルタエレメントのそれぞれが、清浄な空気のプレナムを画定することを特徴とする請求項３３に記載の方法。
【請求項６５】  複数のフィルタエレメント対を有するガスタービン・システムの吸気口に空気を向ける前記工程が、前記第１の管状フィルタエレメントおよび前記第２の管状フィルタエレメントに空気を向けることを含み、
前記第１の管状フィルタエレメントが円筒形であり、前記第２の管状フィルタエレメントが円錐形であることを特徴とする請求項３３に記載の方法。
【請求項６６】  前記媒体パックのそれぞれに収集された微粒子を少なくとも部分的に除去するために、各フィルタエレメント対の清浄な空気のプレナムのそれぞれに空気のパルスを向ける工程をさらに含むことを特徴とする請求項３３に記載の方法。
【請求項６７】  吸入空気が周囲温度で少なくとも５０％ＲＨの湿度を有する、ガスタービン吸気システム内の空気を濾過するための方法であって、
（ａ）少なくとも１つのフィルタエレメントを有するガスタービン・システムの吸気口に吸入空気を向ける工程と、
前記フィルタエレメントが、管状構造と、清浄な空気のプレナムである開放フィルタ内部を画定する構造を形成する媒体パックを有し、
前記媒体パックが、ファインファイバの層で少なくとも部分的に覆われた基体を含む、媒体複合体のひだ付き構造を含み、
前記ファインファイバが、環状ラクタムと、Ｃ６〜１０ジアミンモノマーまたはＣ６〜１０二酸モノマーとから形成されたコポリマー以外の縮合ポリマーと、分子量が約５００〜３０００で芳香族の特性を有するオリゴマーを含み、前記縮合ポリマーに対して混和性である樹脂性添加剤とを含み、
（ｂ）空気を清浄にするため、前記空気を前記フィルタエレメントの前記媒体パックに通して前記開放フィルタ内部に向ける工程と、
を含むことを特徴とする方法。
【請求項６８】  前記縮合ポリマーがポリアルキレンテレフタレートを含むことを特徴とする請求項６７に記載の方法。
【請求項６９】  前記縮合ポリマーがポリアルキレンナフタレートを含むことを特徴とする請求項６７に記載の方法。
【請求項７０】  前記縮合ポリマーがポリエチレンテレフタレートを含むことを特徴とする請求項６７に記載の方法。
【請求項７１】  前記縮合ポリマーが、環状ラクタムから誘導された反復単位を有するホモポリマーを含んだナイロン・ポリマーを含むことを特徴とする請求項６７に記載の方法。
【請求項７２】  前記ナイロンコポリマーが第２のナイロン・ポリマーに結合し、前記第２のナイロン・ポリマーの分子量またはモノマー組成が異なることを特徴とする請求項６７に記載の方法。
【請求項７３】  前記ナイロンコポリマーが第２のナイロン・ポリマーに結合し、前記第２のナイロン・ポリマーがアルコキシアルキル変性ポリアミドを含むことを特徴とする請求項６７に記載の方法。
【請求項７４】  前記第２のナイロン・ポリマーがナイロンコポリマーを含むことを特徴とする請求項７３に記載の方法。
【請求項７５】  前記ポリマーが、示差走査熱量計によって測定した場合に単相物質であることを示す単一のポリマー組成物を形成するように処理されることを特徴とする請求項７３に記載の方法。
【請求項７６】  前記コポリマーおよび前記第２のポリマーを熱処理することを特徴とする請求項７４に記載の方法。
【請求項７７】  前記コポリマーおよび前記第２のポリマーが、これらポリマーの低いほうの融点未満の温度で熱処理されることを特徴とする請求項７４に記載の方法。
【請求項７８】  前記添加剤が、第３級ブチルフェノールを含んだオリゴマーを含むことを特徴とする請求項６７に記載の方法。
【請求項７９】  前記添加剤が、
【化７】
2004508168.tif 000007
を含んだオリゴマーを含むことを特徴とする請求項７８に記載の方法。
【請求項８０】  前記樹脂がビスフェノールＡを含むオリゴマーを含むことを特徴とする請求項６７に記載の方法。
【請求項８１】  前記添加剤が、
【化８】
2004508168.tif 000008
を含んだオリゴマーを含むことを特徴とする請求項８０に記載の方法。
【請求項８２】  前記樹脂が、ジヒドロキシビフェニルを含んだオリゴマーを含むことを特徴とする請求項６７に記載の方法。
【請求項８３】  前記添加剤が、
【化９】
2004508168.tif 000009
を含んだオリゴマーを含むことを特徴とする請求項８２に記載の方法。
【請求項８４】  前記添加剤が、樹脂状添加剤とフルオロポリマーのブレンドを含むことを特徴とする請求項６７に記載の方法。
【請求項８５】  前記添加剤がフルオロカーボン界面活性剤を含むことを特徴とする請求項６７に記載の方法。
【請求項８６】  前記添加剤が非イオン性界面活性剤を含むことを特徴とする請求項６７に記載の方法。
【請求項８７】  前記縮合ポリマーがポリウレタンポリマーを含むことを特徴とする請求項６７に記載の方法。
【請求項８８】  前記縮合ポリマーが、ポリウレタンポリマーとポリアミドポリマーのブレンドを含むことを特徴とする請求項６７に記載の方法。
【請求項８９】  前記ポリアミドポリマーがナイロンを含むことを特徴とする請求項８８に記載の方法。
【請求項９０】  前記ナイロンが、ナイロンホモポリマー、ナイロンコポリマー、またはこれらの混合物を含むことを特徴とする請求項８９に記載の方法。
【請求項９１】  前記縮合ポリマーが芳香族ポリアミドを含むことを特徴とする請求項６７に記載の方法。
【請求項９２】  前記縮合ポリマーが、ジアミンモノマーとポリ（ｍ−フェニレンイソフタルアミド）との反応生成物を含むことを特徴とする請求項６７に記載の方法。
【請求項９３】  前記ポリアミドが、ジアミンとポリ（ｐ−フェニレンテレフタルアミド）との反応生成物を含むことを特徴とする請求項９２に記載の方法。
【請求項９４】  前記縮合ポリマーがポリベンズイミダゾールを含むことを特徴とする請求項６７に記載の方法。
【請求項９５】  前記縮合ポリマーがポリアリーレートを含むことを特徴とする請求項６７に記載の方法。
【請求項９６】  前記ポリアリーレートポリマーが、ビスフェノールＡと混合フタル酸との縮合重合反応生成物を含むことを特徴とする請求項９５に記載の方法。
【請求項９７】  少なくとも１つのフィルタエレメントを有するガスタービン・システムの吸気口に空気を向ける前記工程が、複数のフィルタエレメント対を有するガスタービン・システムの吸気口に空気を向ける工程を含み、
前記フィルタエレメント対のそれぞれが、前記媒体パックを備えた第１の管状フィルタエレメントを含み、前記第１の管状フィルタエレメントが前記媒体パックを備えた第２の管状フィルタエレメントの一端に対してシールされており、
前記第１および第２の管状フィルタエレメントのそれぞれが、清浄な空気のプレナムを画定することを特徴とする請求項６７に記載の方法。
【請求項９８】  複数のフィルタエレメント対を有するガスタービン・システムの吸気口に空気を向ける前記工程が、前記第１の管状フィルタエレメントおよび第２の管状フィルタエレメントに空気を向ける工程を含み、
前記第１の管状フィルタエレメントが円筒形であり、前記第２の管状フィルタエレメントが円錐形であることを特徴とする請求項６７に記載の方法。
【請求項９９】  前記媒体パックのそれぞれに収集された微粒子を少なくとも部分的に除去するため、各フィルタエレメント対の、清浄な空気のプレナムそれぞれに、空気のパルスを向ける工程をさらに含むことを特徴とする請求項６７に記載の方法。